(57)【要約】【課題】端末装置の要求に応じて通信速度の高速化を図ること。【解決手段】複数の端末装置と複数のアクセスポイントの無線通信接続の制御を行う無線ＬＡＮ制御装置である管理装置は、端末装置から通信速度の上昇を要求する通信信号である速度上昇要求信号が送信された場合、予め定められた領域に存在する端末装置の総数を検出し、また、端末装置から速度上昇要求信号が送信された場合、予め定められた領域に存在する端末装置毎の位置情報（分割領域）を特定し、検出した端末装置の総数と特定した端末装置毎の位置情報とに基づいて、複数のアクセスポイントのうち通信速度要求信号を送信した端末装置に最も近い位置に設置されたアクセスポイントに対する通信速度要求信号を送信した端末装置の無線通信接続状態の占有率を高めるように複数のアクセスポイントの送信部の送信制御を行う。【選択図】図１６
2008079109.tif 000002
【特許請求の範囲】
【請求項１】
通信信号を送受信する通信手段を有する複数の端末装置と、予め定められた領域内に互いに間隔を置いて設置され前記端末装置それぞれとの間で前記通信信号を送受信する通信手段を有する複数のアクセスポイントと、の間の無線通信接続を制御する無線ＬＡＮ制御装置において、
前記端末装置から通信速度の上昇を要求する通信信号である速度上昇要求信号が送信された場合、前記予め定められた領域に存在する前記端末装置の総数を検出する端末数検出手段と、
前記端末装置から前記速度上昇要求信号が送信された場合、前記予め定められた領域に存在する前記端末装置の個々の位置情報を特定する位置特定手段と、
前記端末数検出手段により検出された前記端末装置の総数と、前記位置特定手段により特定された前記端末装置の個々の位置情報と、に基づいて、前記複数のアクセスポイントのうち前記通信速度要求信号を送信した前記端末装置に最も近い位置に設置されたアクセスポイントに対する前記通信速度要求信号を送信した前記端末装置の無線通信接続状態の占有率を高めるように前記複数のアクセスポイントの前記通信手段の送信制御を行うアクセスポイント制御手段と、
を備えること、
を特徴とする無線ＬＡＮ制御装置。
【請求項２】
前記アクセスポイント制御手段は、
前記複数のアクセスポイントの前記通信手段の送信制御として、前記複数のアクセスポイントのうち前記通信速度要求信号を送信した前記端末装置に最も近い位置に設置されたアクセスポイントの前記通信手段による通信信号の送信可能範囲を縮小させること、
を特徴とする請求項１記載の無線ＬＡＮ制御装置。
【請求項３】
前記アクセスポイント制御手段は、
前記アクセスポイントの前記通信手段の送信制御として、当該通信手段による通信信号の送信の可否及び前記通信信号を送信する際の送信電力値を制御すること、
を特徴とする請求項１又は２記載の無線ＬＡＮ制御装置。
【請求項４】
前記端末装置が前記アクセスポイントの前記通信手段から送信された前記通信信号を受信した際の電界強度を取得する第１電界強度取得手段を備え、
前記位置特定手段は、前記第１電界強度取得手段により取得された電界強度に基づいて前記位置情報を特定すること、
を特徴とする請求項１から３のいずれか一項に記載の無線ＬＡＮ制御装置。
【請求項５】
前記アクセスポイントが前記端末装置の前記通信手段から送信された前記通信信号を受信した際の電界強度を取得する第２電界強度取得手段を備え、
前記位置特定手段は、前記第２電界強度取得手段により取得された電界強度に基づいて前記位置情報を特定すること、
を特徴とする請求項１から３のいずれか一項に記載の無線ＬＡＮ制御装置。
【請求項６】
前記予め定められた領域を複数の分割した分割領域毎に前記端末装置から前記アクセスポイントに前記通信信号を送信する際に最低限必要とされる当該端末装置の前記通信手段の送信電力値が予め定められている端末出力値設定情報群を記憶する記憶手段と、
前記位置特定手段により特定された前記端末装置の個々の位置情報と、前記記憶手段に記憶されている端末出力値設定情報群とに基づいて、前記端末装置の前記通信手段の送信電力値を制御する端末制御手段と、
を備えること、
を特徴とする請求項１から５のいずれか一項に記載の無線ＬＡＮ制御装置。
【請求項７】
通信信号を送受信する通信手段を有する複数の端末装置と、予め定められた領域内に互いに間隔を置いて設置され前記端末装置それぞれとの間で前記通信信号を送受信する通信手段を有する複数のアクセスポイントと、の間の無線通信接続を制御するコンピュータを、
前記端末装置から通信速度の上昇を要求する通信信号である速度上昇要求信号が送信された場合、前記予め定められた領域に存在する前記端末装置の総数を検出する端末数検出手段、
前記端末装置から前記速度上昇要求信号が送信された場合、前記予め定められた領域に存在する前記端末装置の個々の位置情報を特定する位置特定手段、
前記端末数検出手段により検出された前記端末装置の総数と、前記位置特定手段により特定された前記端末装置の個々の位置情報と、に基づいて、前記複数のアクセスポイントのうち前記通信速度要求信号を送信した前記端末装置に最も近い位置に設置されたアクセスポイントに対する前記通信速度要求信号を送信した前記端末装置の無線通信接続状態の占有率を高めるように前記複数のアクセスポイントの前記通信手段の送信制御を行うアクセスポイント制御手段、
として機能させるためのプログラム。
【発明の詳細な説明】
【技術分野】
【０００１】
本発明は、無線ＬＡＮ制御装置及びプログラムに関する。
【背景技術】
【０００２】
近年、無線ＬＡＮ（Local Area Network）システムが多数構築されている。
この無線ＬＡＮシステムは、予め定められた領域内において、複数の携帯端末やネットワーク機器等のユーザが使用する端末装置を接続するために無線を使用して構築されたＬＡＮであり、上記領域内に設けられた複数のアクセスポイントにユーザが使用する端末装置が無線により接続されることにより、他の端末装置や外部装置と通信可能としたシステムである。
【０００３】
この無線ＬＡＮシステムにおいて、特定の領域のみ多数の端末装置が集中したり、端末装置が大量のデータ通信を行ったりする場合には通信負荷が高まり、通信効率や通信品質の低下を招く。そのため、アクセスポイントは通信負荷が高くなると、接続する端末装置数を制限したり、各端末装置との通信レートを下げたりといった対策や、アクセスポイントの送信電力の電力値（送信電力値）を大きくする対策が採られている。しかし、接続する端末装置数の制限や通信レートの低減は、回線速度の低下や通信接続のリアルタイム性が低下し、また、送信電力値を大きくした場合には、接続される端末装置数が少ない場合において電力の無駄となってしまうという問題がある。
【０００４】
そこで、複数のアクセスポイントが自己の負荷状態を互いに送受信して把握し、自己アクセスポイントの負荷状態と近傍アクセスポイントの負荷状態とに基づいて送信電力を制御し、近傍アクセスポイントが高負荷状態で自己アクセスポイントが低負荷状態の場合には、近傍アクセスポイントの通信を補助すべく送信出力を上げる等の制御を行い、無線ＬＡＮシステム全体の負荷分散を行う無線ＬＡＮシステム用接続装置が開示されている（特許文献１参照）。
【０００５】
また、接続中の端末数が予め定められた所定値を超えた場合、省電力状態の他のアクセスポイントに対して端末の接続を受け入れる通常状態に移行するよう指示するアクセスポイントが開示されている（特許文献２参照）。
【特許文献１】特許第３６３４８０６号
【特許文献２】特開２００３−１７４４５６号公報
【発明の開示】
【発明が解決しようとする課題】
【０００６】
しかしながら、従来の技術では、接続される端末装置に応じてアクセスポイントの送信電力値を制御しても、依然として端末装置が大量のデータ通信を行う高負荷状態の場合において、アクセスポイントとこの高負荷状態の端末装置との通信速度は、当該端末装置が接続しているアクセスポイントに接続される他の端末装置の台数に起因して変化し得るものであり、当該アクセスポイントと端末装置とが１対ｎ（ｎ；自然数）の接続状態である場合は、当該アクセスポイントと端末装置とが１対１の接続状態である場合よりも通信速度が低下してしまうという問題が残存する。
【０００７】
本発明の課題は、端末装置の要求に応じて通信速度の高速化を図り得ることである。
【課題を解決するための手段】
【０００８】
請求項１記載の発明は、通信信号を送受信する通信手段を有する複数の端末装置と、予め定められた領域内に互いに間隔を置いて設置され前記端末装置それぞれとの間で前記通信信号を送受信する通信手段を有する複数のアクセスポイントと、の間の無線通信接続を制御する無線ＬＡＮ制御装置において、前記端末装置から通信速度の上昇を要求する通信信号である速度上昇要求信号が送信された場合、前記予め定められた領域に存在する前記端末装置の総数を検出する端末数検出手段と、前記端末装置から前記速度上昇要求信号が送信された場合、前記予め定められた領域に存在する前記端末装置の個々の位置情報を特定する位置特定手段と、前記端末数検出手段により検出された前記端末装置の総数と、前記位置特定手段により特定された前記端末装置の個々の位置情報と、に基づいて、前記複数のアクセスポイントのうち前記通信速度要求信号を送信した前記端末装置に最も近い位置に設置されたアクセスポイントに対する前記通信速度要求信号を送信した前記端末装置の無線通信接続状態の占有率を高めるように前記複数のアクセスポイントの前記通信手段の送信制御を行うアクセスポイント制御手段と、を備えることを特徴としている。
更に、コンピュータを上述した請求項１記載の発明に示した主要手段として機能させるためのプログラムを提供する（請求項７記載の発明）。
【発明の効果】
【０００９】
請求項１、７記載の発明によれば、複数のアクセスポイントのうち通信速度要求信号を送信した端末装置に最も近い位置に設置されたアクセスポイントに対する通信速度要求信号を送信した端末装置の無線通信接続状態の占有率を高めるように複数のアクセスポイントの通信手段の送信制御を行うことができるため、端末装置の要求に応じて通信速度の高速化を図ることができる。
【発明を実施するための最良の形態】
【００１０】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００１１】
[実施の形態１]
以下、図を参照して本発明の実施の形態１を詳細に説明する。
まず、構成を説明する。
図１に、本実施の形態１における無線ＬＡＮシステム１の概略構成図を示す。
【００１２】
図１に示すように、無線ＬＡＮシステム１は、管理装置１０と、当該管理装置１０とネットワークＮを介して接続された複数のアクセスポイント２０と、各アクセスポイント２０と無線を介して接続される複数の端末装置３０とから構成されており、管理装置１０は、アクセスポイント２０と端末装置３０との無線通信接続の制御を行う無線ＬＡＮ制御装置としての機能を実現する。
【００１３】
図２に、本実施の形態１における無線ＬＡＮシステム１が適用される領域１００と当該領域１００内でのアクセスポイント２０の配置例を示す。
【００１４】
図２に示すように、本実施の形態１における無線ＬＡＮシステム１が適用される領域１００は、予め定められた領域であり、当該領域１００は、当該領域１００が複数に分割されることにより形成された複数の分割領域０１〜２４から構成されている。なお、領域１００の分割の形態や分割領域の数は、図示に限らず任意に設定可能である。
【００１５】
また、複数のアクセスポイント２０は、領域１００内に互いに間隔を置いて設置されている。なお、本実施の形態１においては、複数のアクセスポイント２０を個々に識別するためＡ〜Ｆの識別符号を付している。
【００１６】
図３に、本実施の形態１における管理装置１０の制御ブロック図を示す。
図３に示すように、管理装置１０は、制御部１１、記憶部１２、ネットワークＩ／Ｆ１３を備えており、各部は電気的に接続されている。
【００１７】
制御部１１は、ＣＰＵ（Central Processing Unit）等を備え、記憶部１２に記憶されている各種プログラム、各種テーブルやデータの中から指定されたプログラム、テーブルやデータを読み出し、記憶部１２内のワークエリアに展開し、上記プログラムとの協働によって各種処理を実行し、その処理結果を記憶部１２の所定の領域に格納するとともに、各部に指示して管理装置１０及び無線ＬＡＮシステム１の動作全般を統括的に制御する。
【００１８】
また、制御部１１は、端末装置３０からアクセスポイントを介して送信された通信速度の上昇を要求する通信信号である速度上昇要求信号を受信した場合に領域１００に存在する端末装置３０の総数を検出する端末数検出手段と、各端末装置がアクセスポイントの後述する送信部から送信された通信信号を受信した際の電界強度を取得する第１電界強度取得手段と、端末装置３０からアクセスポイントを介して送信された速度上昇要求信号を受信した場合に領域１００に存在する端末装置３０毎の位置情報を取得した電界強度に基づいて特定する位置特定手段と、端末装置３０の総数と特定された端末装置３０毎の位置情報とに基づいて、複数のアクセスポイント２０のうち通信速度要求信号を送信した端末装置３０に最も近い位置に設置されたアクセスポイント２０に対する通信速度要求信号を送信した端末装置３０の無線通信接続状態の占有率を高めるように複数のアクセスポイント２０の送信部の送信制御を行うアクセスポイント制御手段と、としての機能を実現する。
【００１９】
本実施の形態１において、アクセスポイント２０の送信部の送信制御としては、複数のアクセスポイント２０のうち通信速度要求信号を送信した端末装置３０に最も近い位置に設置されたアクセスポイント２０の送信部による通信信号の送信可能範囲を縮小させることであり、複数のアクセスポイント２０の送信部による通信信号の送信動作の可否及び通信信号を送信する際の送信電力値を制御することである。また、特定される位置情報は、複数の分割領域からなる領域１００内において、端末装置が存在する分割領域である。
【００２０】
更に制御部１１は、特定された端末装置３０の個々の位置情報（分割領域）と、記憶部１２に記憶されている後述する端末電力値設定情報群としての端末電力値設定テーブル１２ｃとに基づいて、端末装置３０の後述する送信部の送信電力値を制御する端末制御手段としての機能を実現する。
【００２１】
記憶部１２は、制御部１１により実行される各種プログラム及びこれらプログラムで使用される各種テーブルやデータ等が予め記憶されている領域と、当該プログラムや各種テーブルやデータが展開される領域とを有する記録媒体である。記憶部１２は、磁気的、光学的記録媒体又は半導体等の電気的に消去及び書き換えが可能な不揮発性メモリで構成されており、管理装置１０に固定的に設けられたもの又は着脱自在に装着されるものである。例えば、ＦｅＲＡＭ（Ferroelectric Random Access Memory）、ＭＲＡＭ（Magneto resistive Random Access Memory）、ＯＵＭ（カルコゲニド合金による相変化記録メモリ）等を挙げることができる。
【００２２】
また、記憶部１２は、位置特定テーブル１２ａ、ＡＰ（Access Point）電力値設定テーブル１２ｂ、端末電力値設定テーブル１２ｃが予め記憶されていると共に、ＡＰ別端末接続情報１２ｄが生成され記憶される。
【００２３】
位置特定テーブル１２ａは、領域１００内に設置された全てのアクセスポイント２０の送信部の送信電力値が最大電力値である場合において、端末装置３０が各アクセスポイント２０から送信された通信信号を受信した際の電界強度の組み合わせを示すパターンを複数有し、当該パターンが示す電界強度の組み合わせを受信し得る分割領域を示すテーブルである。
【００２４】
図４に、アクセスポイント２０から通信信号を送信する際の送信部の送信電力値が最大電力値である場合に生じる電界強度分布の一例を示し、図５に、位置特定テーブル１２ａの一例を示す。
【００２５】
図４に示すアクセスポイント２０の電界強度分布は、識別符号がＢのアクセスポイント２０の電界強度分布を示す。電界強度分布は、アクセスポイント２０を中心として当該中心から半径方向に向かって電界強度が弱くなる。図４に示すアクセスポイント２０を中心とした３つの一点鎖線の円は、電界強度が弱い順番に電界強度を示す番号（１、２、３）を付している。例えば、最も外側の円（「１」が付されている円）の内側の領域は、アクセスポイント２０から送信された通信信号を端末装置３０が受信可能な最低限の電界強度の領域であり、当該円の外側の領域では、アクセスポイント２０から送信された通信信号を端末装置３０は受信することはできない。
【００２６】
従って、全てのアクセスポイント２０の送信部の送信電力値が最大電力値である場合には、領域１００内に存在する端末装置３０の位置に応じて当該端末装置３０がアクセスポイント２０の送信部から送信された通信信号を受信し得るアクセスポイント２０及び当該通信信号を受信した際の電界強度が異なる。
【００２７】
図５に示す位置特定テーブル１２ａに示される各アクセスポイント２０（識別符号Ａ〜Ｆ）と複数のパターンとが対応する０〜３の数字は、端末装置３０が各アクセスポイント２０の送信部２３から送信された通信信号を受信した際の電界強度を示している。また、各パターンに対して端末装置３０が存在する分割領域が設定されている。
【００２８】
例えば、ある端末装置３０が識別符号Ａのアクセスポイント２０から送信される通信信号を電界強度３で受信している場合、パターン１に該当し、当該端末装置３０は分割領域０１に存在していると特定される。
【００２９】
ＡＰ電力値設定テーブル１２ｂは、端末装置３０の総数と、当該総数における端末装置３０が存在する分割領域の組み合わせを示すパターンを複数有し、当該パターン毎に各アクセスポイント２０の送信電力値が設定されたテーブルである。
【００３０】
図６に、ＡＰ電力値設定テーブル１２ｂの一例を示す。
ここで、本実施の形態１におけるアクセスポイント２０は、最大３台の端末装置３０に対して信号を送信可能であるものとする。
【００３１】
図６に示すように、ＡＰ電力値設定テーブル１２ｂは、最小駆動状態であるパターン１から最大駆動状態であるパターンＸまでの複数のパターンにより形成されている。
【００３２】
図７（ａ）、（ｂ）に、アクセスポイント２０の送信部により通信信号を送信可能な範囲及び端末装置３０の配置例を示す。なお、以下、図中に示すアクセスポイント２０は、送信部により通信信号の送信が可能な状態（送信可能状態）のアクセスポイント２０を実線の四角形で示し、送信部により通信信号の送信不可の状態（送信停止状態）のアクセスポイント２０を破線の四角形で示し、各四角形の内部にアクセスポイント２０の識別符号を示す。また、図中に示す三角形は、端末装置３０を示す。更に、各アクセスポイント２０を中心とした円は、設定された送信電力値に応じて通信信号を送信可能な範囲を示す。
【００３３】
図７（ａ）に、最小駆動状態である場合のアクセスポイント２０の送信部により通信信号を送信可能な範囲及び端末装置３０の配置例を示す。
図７（ａ）に示す最小駆動状態であるパターン１は、領域１００内に存在する端末装置３０の総数が最小値（１台）であり、且つ、領域１００内に存在する端末装置３０に対して通信信号の送信に要する最も少ない台数のアクセスポイント２０が駆動されている状態である。図７（ａ）では、Ａ，Ｃ，Ｅの３台のアクセスポイント２０の送信部の送信電力値が最大電力値（ここでは３）に設定され駆動されている。
【００３４】
図７（ｂ）に、最大駆動状態である場合のアクセスポイント２０の送信部により通信信号を送信可能な範囲及び端末装置３０の配置例を示す。
図７（ｂ）に示す最大駆動状態であるパターンＸは、領域１００内に存在可能な端末装置３０の総数が最大値（１８台）であり、且つ、全てのアクセスポイント２０（Ａ〜Ｆ）の送信部の送信電力値が最小値（ここでは１）に設定され駆動されている状態である。
【００３５】
端末電力値設定テーブル１２ｃは、各分割領域と各アクセスポイント２０とに基づいて、端末装置３０の送信電力値が予め定められたテーブルである。
【００３６】
図８に、端末電力値設定テーブル１２ｃの一例を示す。
図８に示すように、端末電力値設定テーブル１２ｃは、分割領域毎（０１〜２４）に、各分割領域に端末装置３０が存在した場合において各アクセスポイント２０（Ａ〜Ｆ）に対して通信信号を最低限送信可能とする送信電力値が定められている。
【００３７】
例えば、分割領域０１に存在する端末装置３０は、識別符号がＡのアクセスポイント２０に対して通信信号を最低限送信可能に接続する場合には端末装置３０の送信電力値は１であり、識別符号がＢのアクセスポイント２０に対して通信信号を最低限送信可能に接続する場合には端末装置３０の送信電力値は２であり、識別符号がＤ，Ｅのアクセスポイント２０に対して通信信号を最低限送信可能に接続する場合には端末装置３０の送信電力値は３であり、識別符号がＣ，Ｆのアクセスポイント２０に対して通信信号を送信可能に接続することは不可であり端末装置３０の送信電力値は０（接続不可）、が設定されている。
【００３８】
従って、端末電力値設定テーブル１２ｃを参照して、端末装置３０が存在する分割領域と当該端末装置３０が接続されるアクセスポイント２０に応じて、端末装置３０の送信電力値を設定することができる。
【００３９】
ＡＰ別端末接続情報１２ｄは、アクセスポイント２０毎に、接続されている端末装置３０及び当該端末装置３０が存在する分割領域が記憶されている。このＡＰ別端末接続情報１２ｄは、アクセスポイント２０に接続される端末装置３０の位置の変動や駆動の有無に基づいて随時更新される。
【００４０】
ネットワークＩ／Ｆ１３は、所定の通信方式により有線又は無線を用いてネットワークＮを介して接続されるアクセスポイント２０と通信を行うための通信制御を行う。
【００４１】
図９に、アクセスポイント２０の制御ブロック図を示す。
図９に示すように、アクセスポイント２０は、制御部２１、記憶部２２、各端末装置３０それぞれとの間で通信信号を送受信する通信手段としての送信部２３及び受信部２４、ネットワークＩ／Ｆ２５を備えており、各部は電気的に接続されている。
【００４２】
制御部２１は、ＣＰＵ等を備え、記憶部２２に記憶されている各種プログラム、各種テーブルやデータの中から指定されたプログラム、テーブルやデータを読み出し、記憶部２２内のワークエリアに展開し、上記プログラムとの協働によって各種処理を実行し、その処理結果を記憶部２２の所定の領域に格納するとともに、各部に指示してアクセスポイント２０の動作全般を統括的に制御する。
【００４３】
また、制御部２１は、管理装置１０からの指示に基づき、管理装置１０から当該アクセスポイント２０と接続されている端末装置３０への通信信号の仲介や、送信部２３の駆動状態の変更指示を行う。
【００４４】
記憶部２２は、制御部２１により実行される各種プログラム及びこれらプログラムで使用される各種テーブルやデータ等が予め記憶されている領域と、当該プログラムや各種テーブルやデータが展開される領域とを有する記録媒体である。記憶部２２は、磁気的、光学的記録媒体又は半導体等の電気的に消去及び書き換えが可能な不揮発性メモリで構成されており、アクセスポイント２０に固定的に設けられたもの又は着脱自在に装着されるものである。例えば、ＦｅＲＡＭ、ＭＲＡＭ、ＯＵＭ等を挙げることができる。
【００４５】
また記憶部２２は、ＡＰ電力値テーブル２２ａが予め記憶されている。
ＡＰ電力値テーブル２２ａは、送信部２３により通信信号を送信する際の複数の送信電力値から形成されており、本実施の形態１においては、送信部２３により通信信号を送信可能な範囲が最大となる送信電力値（最大電力値）を３、最小となる送信電力値（最小電力値）を１、最大電力値と最小電力値との間の送信電力値を２とするテーブルである（不図示）。
【００４６】
送信部２３は、無線部２３ａ、出力調整部２３ｂ、アンテナ部２３ｃを有しており、通信信号を送信する機能を実現する。
無線部２３ａは、制御部２１により指示された通信信号を無線信号に変換する回路であり、無線信号を出力調整部２３ｂに出力する。出力調整部２３ｂは、制御部２１から指示された当該送信部２３の駆動状態を示す情報（通信信号の送信動作の可否及び通信信号を送信する際の送信電力値）に応じて無線信号を送信する際の送信電力値を調整する回路であり、例えばアッテネータを挙げることができる。アンテナ部２３ｃは、出力調整部２３ｂにより調整された送信電力値に応じて無線信号を端末装置３０に送信する。
【００４７】
受信部２４は、端末装置３０から送信される通信信号である無線信号を受信し、受信した無線信号を制御部２１に出力する。受信部２４は、常に駆動又は定期的に駆動されるものである。
【００４８】
ネットワークＩ／Ｆ２５は、所定の通信方式により有線又は無線を用いてネットワークＮを介して接続される管理装置１０と通信を行うための通信制御を行う。
【００４９】
図１０に、端末装置３０の制御ブロック図を示す。
図１０に示すように、端末装置３０は、制御部３１、記憶部３２、通信信号を送受信する通信手段としての送信部３３及び受信部３４、操作表示部３５を備えており、各部は電気的に接続されている。
【００５０】
制御部３１は、ＣＰＵ等を備え、記憶部３２に記憶されている各種プログラム、各種テーブルやデータの中から指定されたプログラム、テーブルやデータを読み出し、記憶部３２内のワークエリアに展開し、上記プログラムとの協働によって各種処理を実行し、その処理結果を記憶部３２の所定の領域に格納するとともに、各部に指示して端末装置３０の動作全般を統括的に制御する。
【００５１】
また、制御部３１は、アクセスポイント２０を介して管理装置１０から送信される指示に基づき、送信部３３の送信電力値の変更指示を行う。
【００５２】
記憶部３２は、制御部３１により実行される各種プログラム及びこれらプログラムで使用される各種テーブルやデータ等が予め記憶されている領域と、当該プログラムや各種テーブルやデータが展開される領域とを有する記録媒体である。記憶部３２は、磁気的、光学的記録媒体又は半導体等の電気的に消去及び書き換えが可能な不揮発性メモリで構成されており、端末装置３０に固定的に設けられたもの又は着脱自在に装着されるものである。例えば、ＦｅＲＡＭ等を挙げることができる。
【００５３】
また記憶部３２は、端末電力値テーブル３２ａが予め記憶されている。
端末電力値テーブル３２ａは、送信部３３により通信信号を送信する際の複数の送信電力値から形成されており、本実施の形態１においては、送信部３３により通信信号を送信可能な範囲が最大となる送信電力値（最大電力値）を３、最小となる送信電力値（最小電力値）を１、最大電力値と最小電力値との間の送信電力値を２とするテーブルである（不図示）。
【００５４】
送信部３３は、無線部３３ａ、出力調整部３３ｂ、アンテナ部３３ｃを有しており、アクセスポイント２０に通信信号を送信する機能を実現する。
無線部３３ａは、制御部３１により指示された通信信号を無線信号に変換する回路であり、無線信号を出力調整部３３ｂに出力する。出力調整部３３ｂは、制御部３１から指示された当該送信部３３の送信電力値に応じて無線信号を送信する際の送信電力値を調整する回路であり、例えばアッテネータを挙げることができる。アンテナ部３３ｃは、出力調整部３３ｂにより調整された送信電力値に応じて無線信号をアクセスポイント２０に送信する。
【００５５】
受信部３４は、アクセスポイント２０から送信される通信信号である無線信号を受信すると共に、受信した通信信号の電界強度を検知する手段であり、受信した無線信号や検知した電界強度を制御部３１に出力する。受信部３４は、常に駆動又は定期的に駆動されるものである。
【００５６】
操作表示部３５は、ＬＣＤ（Liquid Crystal Display）又は有機ＥＬ（Electronic Luminescent）素子等を用いた表示画面を備え、制御部３１から入力される表示制御信号に従って所要の表示処理を行う。また、操作表示部３５は、表示画面を覆うように設けられたタッチパネルや、テンキー、メニューキー、十字キー及び各種機能キー等のハードキーを有し、タッチパネルやハードキーが押下されることにより生じる操作信号を制御部３１に出力する。
【００５７】
次に、本実施の形態１の動作を説明する。
図１１に、本実施の形態１におけるアクセスポイント２０の送信部２３の駆動開始時の処理を示すラダーチャートを示す。なお、図１１に示すラダーチャートは、複数の端末装置３０のうち任意の端末装置３０と、複数のアクセスポイント２０のうち任意のアクセスポイント２０と、管理装置１０との間の処理である。
【００５８】
まず、全てのアクセスポイント２０の送信部２３による通信信号の送信動作が停止している状態において、端末装置３０の送信部３３の送信電力値（以下、端末電力値）が任意の電力値で駆動されて通信信号が送信されると、当該端末装置３０を中心とした電界強度分布が発生する（ステップＳ１）。
【００５９】
図１２に、ステップＳ１における領域１００内のアクセスポイント２０と端末装置３０の状態イメージ図を示す。
なお、以下、図中に示す三角形で示された端末装置３０は、当該三角形の内部に各端末装置３０の識別符号（イ、ロ、ハ）を示し、以下の図も同様とする。更に、各端末装置３０を中心とした円は、端末装置３０の送信部３３の端末電力値に応じて通信信号を送信可能な範囲を示しており、この範囲内に電界が生じている。なお、図１２において、分割領域を示す番号（０１〜２４）は省略している。
【００６０】
ステップＳ１は、例えば、図１２に示すように、領域１００内の全てのＡ〜Ｆのアクセスポイント２０の送信部２３の駆動が停止している状態であって、領域１００内において端末装置３０を識別する符号としてイ、ロ、ハがそれぞれ付された各端末装置３０を中心として電界が発生した状態である。
【００６１】
アクセスポイント２０は、複数の端末装置３０のうち、少なくともいずれか１つの端末装置３０の送信部３３が駆動されて通信信号が送信されることにより発生する電界を検知したか否かを判別し（ステップＳ２）、電界を検知していないと判別した場合は（ステップＳ２；Ｎｏ）、電界を検知するまで待機する。
【００６２】
アクセスポイント２０は、端末装置３０により発生する電界を検知した場合（ステップＳ２；Ｙｅｓ）、領域１００内において通信接続を行う端末装置３０が存在する旨を管理装置１０に送信する（ステップＳ３）。
【００６３】
管理装置１０は、通信接続を行う端末装置３０が存在する旨を受信すると、全てのアクセスポイント２０に対し、送信電力値を最大電力値に設定して送信部２３を駆動させる指示を送信する（ステップＳ４）。
以下、アクセスポイント２０の送信部２３の送信電力値をＡＰ電力値と略す。
【００６４】
アクセスポイント２０は、管理装置１０から送信された指示に従って、ＡＰ電力値を最大電力値に設定して送信部２３を駆動して通信信号を送信すると、アクセスポイント２０を中心とした電界強度分布が発生する（ステップＳ５）。
【００６５】
図１３に、ステップＳ５における領域１００内のアクセスポイント２０と端末装置３０の状態イメージ図を示す。なお、図１３では、各端末装置３０の送信部３３の端末電力値に応じて通信信号を送信可能な範囲、分割領域を示す番号（０１〜２４）は省略している。
【００６６】
ステップＳ５は、例えば、図１３に示すように、領域１００内の全てのＡ〜Ｆのアクセスポイント２０の送信部２３のＡＰ電力値を最大電力値として駆動しており、各アクセスポイント２０を中心として電界強度分布が発生している。
【００６７】
端末装置３０は、アクセスポイント２０から送信される通信信号を受信すると共に受信した通信信号の電界強度を検知し（ステップＳ６）、通信信号が受信できたアクセスポイント２０のうち、通信信号の電界強度が最大であるアクセスポイント２０と接続する（ステップＳ７）。以下、端末装置３０がアクセスポイント２０から送信される通信信号を受信した際の電界強度を、ＡＰ電界強度と略す。
【００６８】
ステップＳ７により、端末装置３０と当該端末装置３０において通信信号の電界強度が最大となるアクセスポイント２０との通信接続が確立される（ステップＳ８）。
【００６９】
なお、ステップＳ８は、端末装置３０側からの要求により、当該端末装置３０と当該端末装置３０において通信信号の電界強度が最大となるアクセスポイント２０との間の通信接続が確立した状態を示しており、アクセスポイント２０側及び端末装置３０側夫々に同一ステップ番号を付している。
【００７０】
端末装置３０は、ステップＳ６において検知したＡＰ電界強度を、通信接続が確立したアクセスポイント２０に対して送信する（ステップＳ９）。
【００７１】
アクセスポイント２０は、端末装置３０と通信接続が確立した後、当該通信接続が確立した各端末装置３０から送信されるＡＰ電界強度を管理装置１０に送信する（ステップＳ１０）。
【００７２】
管理装置１０は、各アクセスポイント２０から送信される各アクセスポイント２０と通信接続が確立した端末装置３０と、各端末装置３０のＡＰ電界強度とに基づいて、領域１００内において通信接続を行う端末装置３０の総数を算出し（ステップＳ１１）、また、位置特定テーブル１２ａを参照して、各端末装置３０の位置情報として、各端末装置３０が存在する分割領域を特定する（ステップＳ１２）。
【００７３】
ステップＳ１２において、例えば、図１３に示す識別符号がイの端末装置３０が受信したＡＰ電界強度として、識別符号がＡのアクセスポイント２０のＡＰ電界強度が３、識別符号がＢのアクセスポイント２０のＡＰ電界強度が２、識別符号がＤのアクセスポイント２０のＡＰ電界強度が１、である場合には、位置特定テーブル１２ａのパターンｍに該当するため、パターンｍに対する分割領域が０２であることから、当該端末装置３０が存在する分割領域は０２であると特定される。
【００７４】
管理装置１０は、ＡＰ電力値設定テーブル１２ｂを参照して、算出した端末装置３０の総数と、特定された端末装置３０の個々の分割領域とに基づいて、該当するパターンを特定し、当該パターンに対応した各アクセスポイント２０の送信部２３の駆動状態、即ち、当該送信部２３による通信信号の送信動作の可否及びＡＰ電力値を設定する（ステップＳ１３）。
【００７５】
なお、ステップＳ１３において、端末装置３０の総数及び端末装置３０が存在する分割領域の組み合わせが同じパターンが複数存在している場合には、駆動されるアクセスポイント２０の数が最も少ないパターンを設定する。
【００７６】
ステップＳ１３において、例えば、図１３に示すように、端末装置３０の総数が３であって、分割領域０２、０９、１５に１台ずつ端末装置３０が存在している場合には、図６に示すＡＰ電力値設定テーブル１２ｂのパターンｍ〜ｎの複数のパターンに該当する。この複数の該当するパターンｍ〜ｎのうち、駆動されるアクセスポイント２０の数が最も少ないパターンが選定される。
【００７７】
図６に示すＡＰ電力値設定テーブルでは、識別符号がＡ、Ｃ、Ｅの３台のアクセスポイント２０が駆動されるパターンｍが駆動されるアクセスポイント２０の数が最も少ないパターンであるとして選定される。選定されたパターンｍに応じて、識別符号がＡ、Ｃ、Ｅのアクセスポイント２０の送信部２３のＡＰ電力値を３（最大電力値）で通信信号の送信動作を行わせ、他のアクセスポイント２０の送信部２３は通信信号の送信動作停止、という駆動状態が設定される。
【００７８】
管理装置１０は、各アクセスポイント２０に対して、設定した駆動状態に基づいて送信部２３の駆動状態を変更させる指示を送信する（ステップＳ１４）。
【００７９】
アクセスポイント２０は、管理装置１０から駆動状態の変更指示を受信すると、通信接続が確立している端末装置３０に対して、管理装置１０から受信した自らの送信部２３による通信信号の送信可否を送信する（ステップＳ１５）。
【００８０】
ステップＳ１５後、又は端末装置３０が通信接続を確立しているアクセスポイント２０から当該アクセスポイントの送信部２３による通信信号の送信可否の情報を受信した後、通信接続が確立されていた端末装置３０とアクセスポイント２０との通信接続が切断される（ステップＳ１６）。
【００８１】
なお、ステップＳ１６においては、アクセスポイント２０側から通信接続されている端末装置３０との通信接続を切断する場合、又は、端末装置３０側から通信接続されているアクセスポイント２０との通信接続を切断する場合、のいずれか一方の動作の速い方により実行されるため、アクセスポイント２０側及び端末装置３０側夫々に同一ステップ番号を付している。
【００８２】
アクセスポイント２０は、端末装置３０との通信接続を切断した後、管理装置１０から受信した駆動状態の変更指示に応じて、駆動状態を変更する（ステップＳ１７）。駆動状態の変更とは、送信部２３による通信信号の送信動作が指示されている場合には、送信部２３の出力調整部２３ｂによりＡＰ電力値を設定されたＡＰ電力値に変更し、送信部２３による通信信号の送信動作停止が指示されている場合には、本処理を終了する。
【００８３】
送信部２３による通信信号の送信動作が指示され、送信部２３の出力調整部２３ｂにより設定されたＡＰ電力値に変更した場合、変更されたＡＰ電力値に応じて、新たに当該アクセスポイント２０を中心とした電界強度分布が発生する。
【００８４】
端末装置３０は、ステップＳ８において通信接続が確立していたアクセスポイント２０との通信接続が切断された後であって、新たに通信信号を受信可能なアクセスポイント２０のうち、当該通信信号を受信した際のＡＰ電界強度を検知すると、通信信号が受信できたアクセスポイント２０のうち、通信信号の電界強度が最大であるアクセスポイント２０と接続し、端末装置３０と当該端末装置３０において通信信号の電界強度が最大となるアクセスポイント２０との通信接続が確立される（ステップＳ１８）。
【００８５】
なお、ステップＳ１８は、端末装置３０側からの要求により、当該端末装置３０と当該端末装置３０において通信信号の電界強度が最大となるアクセスポイント２０との間の通信接続が確立した状態を示しており、アクセスポイント２０側及び端末装置３０側夫々に同一ステップ番号を付している。
【００８６】
そして、端末装置３０は、通信接続が確立したアクセスポイント２０の識別符号を当該通信接続が確立したアクセスポイント２０に送信する（ステップＳ１９）。アクセスポイント２０は、通信接続が確立した各端末装置３０の識別符号と当該端末装置３０が送信してきたアクセスポイント２０の識別符号を管理装置１０に送信する（ステップＳ２０）。
【００８７】
管理装置１０は、端末電力値設定テーブル１２ｃを参照して、各アクセスポイント２０から受信した各端末装置３０の識別符号と、当該端末装置３０が接続されているアクセスポイント２０の識別符号と、ステップＳ１２において特定された各端末装置３０が存在する分割領域とに応じて、各端末装置３０の送信部３３の送信電力値の設定を行う（ステップＳ２１）。
【００８８】
管理装置１０は、各端末装置３０の端末電力値の変更指示を駆動しているアクセスポイント２０に送信し（ステップＳ２２）、本処理を終了する。
【００８９】
アクセスポイント２０は、管理装置１０から受信した各端末装置３０端末電力値を自身と通信接続が確立している端末装置３０に送信し（ステップＳ２３）、本処理を終了する。
【００９０】
端末装置３０は、送信部３３の出力調整部３３ｂによりアクセスポイント２０から受信した端末電力値に応じて送信電力値を変更し（ステップＳ２４）、本処理を終了する。
【００９１】
図１４に、図１１に示す処理終了後における領域１００内のアクセスポイント２０と端末装置３０の状態イメージ図を示す。なお、図１４は、アクセスポイント２０のＡＰ電力値に応じて通信信号を送信可能な範囲を実線の円で示し、端末装置３０の端末電力値に応じて通信信号を送信可能な範囲をアクセスポイント２０のＡＰ電力値に応じて通信信号を送信可能な範囲を示す線よりも太い線の円で示す。
【００９２】
図１４に示すように、識別符号がＡ，Ｃ，Ｅの３台のアクセスポイント２０は、ＡＰ電力値が最大電力値に設定された状態で駆動されており、他のアクセスポイント２０は、送信部２３が停止常態となっている。そして、領域１００内の各端末装置３０（イ、ロ、ハ）は、送信部２３駆動されているアクセスポイント２０のうちいずれか１つと通信接続可能な端末電力値に応じて駆動されている。即ち、識別符号がイ、ロの端末装置３０は、識別符号がＡのアクセスポイント２０と接続される端末電力値が設定され、識別符号がハの端末装置３０は、識別符号がＥのアクセスポイント２０と接続される端末電力値が設定される。
【００９３】
以上、図１１に示す処理が終了すると、ＡＰ別端末接続情報１２ｄが生成される。
図１５に、図１１に示す処理終了後に生成されるＡＰ別端末接続情報１２ｄの一例を示す。
【００９４】
図１５に示すＡＰ別端末接続情報１２ｄは、図１４に対応するＡＰ別端末接続情報である。図１５に示すように、識別符号がＡのアクセスポイント２０には、分割領域０２に存在する識別符号がイの端末装置３０と、分割領域０９に存在する識別符号がロの端末装置３０が接続されていることが示されている。また、識別符号がＥのアクセスポイント２０には、分割領域１５に存在する識別符号がハの端末装置３０が接続されていることが示されている。
【００９５】
次に、図１６に、本実施の形態１において、いずれかのアクセスポイント２０の送信部２３が通信信号を送信している場合の処理を示すラダーチャートを示す。なお、図１６に示すラダーチャートは、複数の端末装置３０のうち任意の端末装置３０と、複数のアクセスポイント２０のうち任意のアクセスポイント２０と、管理装置１０との間の処理である。
【００９６】
端末装置３０は、ユーザにより操作表示部２５から通信速度の上昇の要求を受け付けた場合、又は、予め設定された通信速度よりも通信速度が低下した場合、通信速度の上昇を要求する通信信号である速度上昇要求信号を送信する（ステップＳ３１）。
【００９７】
アクセスポイント２０は、通信接続している端末装置３０から速度上昇要求信号を受信すると、速度上昇要求信号を送信してきた端末装置３０の識別符号と共に速度上昇要求信号を管理装置１０に送信する（ステップＳ３２）。
【００９８】
管理装置１０は、速度上昇要求信号を受信すると、全てのアクセスポイント２０に対し、端末装置３０の位置を確認する指示を送信する（ステップＳ３３）。
【００９９】
端末装置３０と通信接続しているアクセスポイント２０は、管理装置１０から端末装置３０の位置を確認する指示を受信すると、通信接続している端末装置３０に対して、各端末装置３０の位置を確認する指示を送信する（ステップＳ３４）。
【０１００】
また、全てのアクセスポイント２０は、管理装置１０から端末装置３０の位置を確認する指示を受信すると、ＡＰ電力値を最大電力値に設定して送信部２３を駆動して通信信号を送信し、アクセスポイント２０を中心とした電界強度分布を発生させる（ステップＳ３５）。
【０１０１】
端末装置３０は、アクセスポイント２０から送信される通信信号を受信すると共にＡＰ電界強度を検知し、また、通信接続しているアクセスポイント２０の識別符号を当該通信接続しているアクセスポイント２０に送信する（ステップＳ３６）。
【０１０２】
アクセスポイント２０は、通信接続している各端末装置３０から送信されるＡＰ電界強度及び各端末装置３０が通信接続しているアクセスポイント２０の識別符号と、通信接続している各端末装置３０の識別符号と、を管理装置１０に送信する（ステップＳ３７）。
【０１０３】
管理装置１０は、各アクセスポイント２０から送信されるアクセスポイント２０と通信接続がされている端末装置３０の識別符号と、各端末装置３０のＡＰ電界強度とに基づいて、領域１００内において通信を行う端末装置３０の総数を算出し（ステップＳ３８）、また、位置特定テーブル１２ａを参照して、各端末装置３０の位置情報として、各端末装置３０が存在する分割領域を特定する（ステップＳ３９）。
【０１０４】
管理装置１０は、各端末装置３０が存在する分割領域、各端末装置３０が接続しているアクセスポイント２０の識別符号に基づいて、ＡＰ別端末接続情報１２ｄを更新すると共に、更新したＡＰ別端末接続情報１２ｄを参照し、速度上昇要求信号を送信した端末装置３０が通信接続されているアクセスポイント２０には複数の端末装置３０が通信接続されているか否かを確認する（ステップＳ４０）。
【０１０５】
管理装置１０は、速度上昇要求信号を送信した端末装置３０が通信接続されているアクセスポイント２０に複数の端末装置３０が通信接続されている場合、当該端末装置３０の通信速度の上昇可能と判別し、当該端末装置３０が通信接続されているアクセスポイント２０に１台の端末装置（即ち、当該端末装置３０のみ）通信接続されている場合、通信速度の上昇不可と判別する（ステップＳ４１）。
【０１０６】
例えば、ステップＳ４０において更新されたＡＰ別端末接続情報が図１５に示すＡＰ別端末接続情報である場合であって、識別部号がイの端末装置３０から速度上昇要求信号が送信されている場合には、識別部号がイの端末装置３０が通信接続されている識別符号がＡのアクセスポイント２０には２台の端末装置３０（識別符号がイ、ロの端末装置３０）が通信接続されていることから、識別符号がイの端末装置３０の通信速度の上昇可能と判別する。
【０１０７】
一方、例えば、ステップＳ４０において更新されたＡＰ別端末接続情報が図１５に示すＡＰ別端末接続情報である場合であって、識別部号がハの端末装置３０から速度上昇要求信号が送信されている場合には、識別部号がハの端末装置３０が通信接続されている識別符号がＥのアクセスポイント２０には１台の端末装置３０（識別符号がハの端末装置３０のみ）が通信接続されていることから、識別符号がハの端末装置３０は、識別符号がＥのアクセスポイント２０を既に占有していることとなるため、識別符号がＥのアクセスポイント２０に接続される端末装置３０の台数を減少させて占有率を高め、現在の通信速度を向上させることができないことから、識別符号がハの端末装置３０の通信速度の上昇不可と判別する。
【０１０８】
管理装置１０は通信速度の上昇不可と判別した場合（ステップＳ４１；Ｎｏ）、速度上昇要求の却下の指示を当該速度上昇要求信号を送信してきた端末装置３０に接続されているアクセスポイント２０に対して送信する（ステップＳ４２）。
【０１０９】
速度上昇要求信号を送信してきた端末装置３０に接続されているアクセスポイント２０は、速度上昇要求信号の要求が受諾されたか否か、即ち、管理装置１０から送信される速度上昇要求の却下の指示を受信したか否かを判別する（ステップＳ４３）。
【０１１０】
速度上昇要求信号を送信してきた端末装置３０に接続されているアクセスポイント２０は、速度上昇要求信号の要求が受諾されない、即ち、管理装置１０から送信される速度上昇要求却下の指示を受信したと判別した場合（ステップＳ４３；Ｎｏ）、速度上昇要求信号を送信してきた端末装置３０に対して、速度上昇要求の却下の指示を送信する（ステップＳ４４）。
【０１１１】
速度上昇要求信号を送信した端末装置３０は、速度上昇要求信号の要求が受諾されたか否か、即ち、アクセスポイント２０から送信される速度上昇要求の却下の指示を受信したか否かを判別する（ステップＳ４５）。
【０１１２】
速度上昇要求信号を送信してきた端末装置３０は、速度上昇要求信号の要求が受諾されない、即ち、アクセスポイント２０から送信される速度上昇要求の却下の指示を受信したと判別した場合（ステップＳ４５；Ｎｏ）、ステップＳ３１に戻る。なお、速度上昇要求が却下された旨を示す情報を操作表示部３５によりユーザに報知することが好ましい。
【０１１３】
管理装置１０は通信速度の上昇可と判別した場合（ステップＳ４１；Ｙｅｓ）、ＡＰ電力値設定テーブル１２ｂを参照して、算出した端末装置３０の総数と、端末装置３０毎の分割領域とに基づいて、該当するパターンを特定し、当該パターンに対応した各アクセスポイント２０の送信部２３の駆動状態として、通信信号の送信の可否及びＡＰ電力値を設定する（ステップＳ４６）。
【０１１４】
ステップＳ４６において、詳しくは、算出した端末装置３０の総数及び端末装置３０毎の分割領域に該当するパターンをＡＰ電力値設定テーブル１２ｂから選定する。また、ＡＰ電力値が最小電力値である場合において、速度上昇要求信号を送信した端末装置３０が存在する分割領域内に対して通信信号を送信可能なアクセスポイント２０を選定する。
【０１１５】
ＡＰ電力値が最小電力値である場合において速度上昇要求信号を送信した端末装置３０が存在する分割領域内に対して通信信号を送信可能なアクセスポイント２０の選定とは、当該端末装置３０に最も近い位置に設置されているアクセスポイントを選定することであり、当該端末装置３０が受信し得るＡＰ電界強度が最も大きいアクセスポイントを選定することである。例えば、ステップＳ３６において当該端末装置が各アクセスポイントから送信される通信信号を受信した際のＡＰ電界強度のうち、最も大きい電界強度の大きいアクセスポイント２０を選定することである。
【０１１６】
そして、ＡＰ電力値設定テーブル１２ｂから選定された複数のパターンのうち、選定されたアクセスポイント２０のＡＰ電力値が最小電力値で駆動されるパターンを設定する。
【０１１７】
なお、算出した端末装置３０の総数及び端末装置３０毎の分割領域に該当するパターンであって、選定されたアクセスポイント２０のＡＰ電力値が最小電力値であるパターンが複数存在している場合には、駆動されるアクセスポイント２０の数が最も少ないパターンを設定する。
【０１１８】
例えば、ステップＳ４６において、図１４に示すように、端末装置３０の総数が３、分割領域０２、０９、１５に１台ずつ端末装置３０が存在している場合であって、速度上昇要求信号を送信した端末装置３０が識別符号がイの端末装置３０である場合、ＡＰ電力値設定テーブル１２ｂから端末装置３０の総数が３、分割領域０２、０９、１５に１台ずつ端末装置３０が存在しているパターンとしてパターンｍ〜ｎが選定される。
【０１１９】
また、識別符号がイの端末装置３０がステップＳ３６において受信したＡＰ電界強度として、識別符号がＡのアクセスポイント２０からのＡＰ電界強度が３、識別符号がＢのアクセスポイント２０からのＡＰ電界強度が２、識別符号がＤのアクセスポイント２０からのＡＰ電界強度が１、である場合、最も大きい電界強度が得られるアクセスポイント２０として識別符号がＡのアクセスポイント２０が選定される。
【０１２０】
そして、図６に示すＡＰ電力値設定テーブル１２ｂから選定されたパターンｍ〜ｎのうち、識別符号がＡのアクセスポイント２０が最小電力値で駆動されているパターンとして、パターンｎが設定される。
【０１２１】
設定されたパターンｎに応じて、識別符号がＡ、Ｂ、Ｄ、Ｅのアクセスポイント２０の送信部２３のＡＰ電力値を１（最小電力値）で通信信号の送信動作を行わせ、識別符号がＣのアクセスポイント２０の送信部２３のＡＰ電力値を３（最大電力値）で通信信号の送信動作を行わせ、識別符号がＦのアクセスポイント２０の送信部２３は通信信号の送信動作停止、という駆動状態が設定される。
【０１２２】
このように、速度上昇要求信号を送信した端末装置３０に最も近い位置に配置されたアクセスポイント２０のＡＰ電力値を最小電力値に設定することにより、当該アクセスポイント２０による通信信号の送信可能な範囲が縮小され、当該通信信号の送信可能な範囲外となる他の端末装置３０と当該アクセスポイント２０との通信接続が切断されることとなり、速度上昇要求信号を送信した端末装置３０が通信接続を行う当該端末装置３０に最も近い位置に配置されたアクセスポイント２０に通信接続される端末装置３０の台数を削減でき、アクセスポイント２０との通信接続に関する動作の占有率を高めることができることから、当該端末装置３０の通信速度の向上を図ることができる。
【０１２３】
管理装置１０は、全てのアクセスポイント２０に対して、設定した駆動状態に基づいて送信部２３を変更させる指示を送信する（ステップＳ４７）。
【０１２４】
ステップＳ４８〜ステップＳ５７は、図１１に示したステップＳ１５〜ステップＳ２４と同様の処理であるため、説明は省略する。
【０１２５】
なお、ステップＳ４９は、ステップＳ１６と同様に、アクセスポイント２０側から通信接続されている端末装置３０との通信接続を切断する場合、又は、端末装置３０側から通信接続されているアクセスポイント２０との通信接続を切断する場合、のいずれか一方の動作の速い方により実行されるため、アクセスポイント２０側及び端末装置３０側夫々に同一ステップ番号を付している。
【０１２６】
また、ステップＳ５１は、ステップＳ１８と同様に、端末装置３０側からの要求により、当該端末装置３０と当該端末装置３０において通信信号の電界強度が最大となるアクセスポイント２０との間の通信接続が確立した状態を示しており、アクセスポイント２０側及び端末装置３０側夫々に同一ステップ番号を付している。
【０１２７】
図１７に、図１６に示す処理終了後における領域１００内のアクセスポイント２０と端末装置３０の状態イメージ図を示す。なお、図１７は、アクセスポイント２０のＡＰ電力値に応じて通信信号を送信可能な範囲を実線の円で示し、端末装置３０の端末電力値に応じて通信信号を送信可能な範囲をアクセスポイント２０のＡＰ電力値に応じて通信信号を送信可能な範囲を示す線よりも太い線の円で示す。
【０１２８】
図１７に示すように、識別符号がＡ、Ｅのアクセスポイント２０の送信部２３の送信電力値は、図１４では最大電力値（３）で通信信号が送信されていたものが最小電力値（１）に変更され、識別符号がＡ、Ｅのアクセスポイント２０の送信部２３のＡＰ電力値に応じて通信信号を送信可能な範囲が縮小される。また、新たに、識別符号がＢ、Ｄのアクセスポイント２０の送信部２３は、送信電力値が最小電力値（１）で通信信号の送信動作を行うことにより、識別符号がＢ、Ｄのアクセスポイント２０の送信部２３のＡＰ電力値に応じて通信信号を送信可能な範囲が発生する。
【０１２９】
また、図１７に示すように、速度上昇要求信号を送信した識別符号がイの端末装置３０は、アクセスポイント２０を占有して通信接続されており、領域１００内の各端末装置３０（イ、ロ、ハ）は、送信部２３が駆動されているアクセスポイント２０のうちいずれか１つと通信接続可能な端末電力値に変更されて駆動される。
【０１３０】
詳しくは、識別符号がイの端末装置３０の送信部３３の端末電力値は、識別符号がＡのアクセスポイント２０と接続される端末電力値が設定され、識別符号がロの端末装置３０の送信部３３の端末電力値は、識別符号がＢのアクセスポイント２０と接続される端末電力値が設定され、識別符号がハの端末装置３０の送信部３３の端末電力値は、識別符号がＥのアクセスポイント２０と接続される端末電力値にそれぞれ設定される。
【０１３１】
以上のように、本実施の形態１によれば、複数のアクセスポイント２０のうち通信速度要求信号を送信した端末装置３０に最も近い位置に設置されたアクセスポイント２０に対する通信速度要求信号を送信した端末装置３０の無線通信接続状態の占有率を高めるように複数のアクセスポイント２０の送信部２３の送信制御を行うことができるため、端末装置３０の要求に応じて通信速度の高速化を図ることができる。
【０１３２】
また、端末装置３０の位置情報（端末装置３０が存在する分割領域）を、各端末装置３０がアクセスポイント２０から送信された通信信号の電界強度に基づいて特定することができるため、ＧＰＳ（Global Positioning System）等の特別な装置や回路を設けずとも、予め定められた領域内での端末装置の位置を特定することができる。
【０１３３】
更に、端末装置３０の送信部３３の送信電力値を、アクセスポイント２０との通信接続に最低限必要とされる送信電力値に調整することができるため、端末装置３０が消費する消費電力の低減を図ることができ、無線ＬＡＮシステム１全体の省電力化を図ることができる。
【０１３４】
[実施の形態２]
以下、図を参照して本発明の実施の形態２を詳細に説明する。
まず、構成を説明する。
本実施の形態２における無線ＬＡＮシステムの概略構成は、実施の形態１の図１に示す無線ＬＡＮシステム１の管理装置１０が管理装置４０になる以外は略同様であるため、図示及び説明は省略する。また、本実施の形態２における無線ＬＡＮシステム１が適用される領域及び当該領域内でのアクセスポイント２０の配置の例は、実施の形態の図２に示す図と同様であるため、図示及び説明は省略する。
【０１３５】
図１８に、本実施の形態２における管理装置４０の制御ブロック図を示す。
図１８に示す管理装置４０において、図３に示す実施の形態１の管理装置１０と同様の部分には同様の番号を付して説明は省略し、異なる部分のみ説明する。
【０１３６】
図２０に示すように、本実施の形態２の管理装置４０は、制御部４１、記憶部４２、ネットワークＩ／Ｆ１３を備えており、各部は電気的に接続されている。
【０１３７】
制御部４１は、ＣＰＵ等を備え、記憶部４２に記憶されている各種プログラム、各種テーブルやデータの中から指定されたプログラム、テーブルやデータを読み出し、記憶部４２内のワークエリアに展開し、上記プログラムとの協働によって各種処理を実行し、その処理結果を記憶部４２の所定の領域に格納するとともに、各部に指示して管理装置４０及び無線ＬＡＮシステム１の動作全般を統括的に制御する。
【０１３８】
また、制御部４１は、端末装置３０からアクセスポイントを介して送信された通信速度の上昇を要求する通信信号である速度上昇要求信号を受信した場合に領域１００に存在する端末装置３０の総数を検出する端末数検出手段と、各アクセスポイント２０が端末装置３０の後述する送信部から送信された通信信号を受信した際の電界強度を取得する第２電界強度取得手段と、端末装置３０からアクセスポイントを介して送信された速度上昇要求信号を受信した場合に領域１００に存在する端末装置３０毎の位置情報を取得した電界強度に基づいて特定する位置特定手段と、端末装置３０の総数と特定された端末装置３０毎の位置情報とに基づいて、複数のアクセスポイント２０のうち通信速度要求信号を送信した端末装置３０に最も近い位置に設置されたアクセスポイント２０に対する通信速度要求信号を送信した端末装置３０の無線通信接続状態の占有率を高めるように複数のアクセスポイント２０の送信部の送信制御を行うアクセスポイント制御手段と、としての機能を実現する。
【０１３９】
本実施の形態２において、アクセスポイント２０の送信部の送信制御としては、複数のアクセスポイント２０のうち通信速度要求信号を送信した端末装置３０に最も近い位置に設置されたアクセスポイント２０の送信部による通信信号の送信可能範囲を縮小させることであり、複数のアクセスポイント２０の送信部による通信信号の送信動作の可否及び通信信号を送信する際の送信電力値を制御することである。また、特定される位置情報は、複数の分割領域からなる領域１００内において、端末装置が存在する分割領域である。
【０１４０】
更に制御部１１は、特定された端末装置３０の個々の位置情報（分割領域）と、記憶部１２に記憶されている端末電力値設定テーブル１２ｃとに基づいて、端末装置３０の後述する送信部の送信電力値を制御する端末制御手段としての機能を実現する。
【０１４１】
記憶部４２は、制御部４１により実行される各種プログラム及びこれらプログラムで使用される各種テーブルやデータ等が予め記憶されている領域と、当該プログラムや各種テーブルやデータが展開される領域とを有する記録媒体である。記憶部４２は、磁気的、光学的記録媒体又は半導体等の電気的に消去及び書き換えが可能な不揮発性メモリで構成されており、管理装置４０に固定的に設けられたもの又は着脱自在に装着されるものである。例えば、ＦｅＲＡＭ、ＭＲＡＭ、ＯＵＭ等を挙げることができる。
【０１４２】
また、記憶部４２は、位置特定テーブル４２ａ、ＡＰ電力値設定テーブル１２ｂ、端末電力値設定テーブル１２ｃが予め記憶されていると共に、ＡＰ別端末接続情報１２ｄが生成され記憶される。
【０１４３】
位置特定テーブル４２ａは、端末装置３０の送信部の送信電力値が最大電力値である場合において、ある端末装置３０に着目して、各アクセスポイント２０が当該端末装置３０の送信部から送信された通信信号を受信した際の電界強度の組み合わせを示すパターンを複数有し、当該パターンが示す電界強度の組み合わせを受信し得る分割領域を示すテーブルである。
【０１４４】
図１９に、端末装置３０から通信信号を送信する際の送信部の送信電力値が最大電力値である場合に生じる電界強度分布の一例を示し、図２０に、位置特定テーブル４２ａの一例を示す。
【０１４５】
図１９に示す端末装置３０の電界強度分布は、端末装置３０を中心として当該中心から半径方向に向かって電界強度が弱くなる。図１９に示す端末装置３０を中心とした３つの二点鎖線の円は、電界強度が弱い順番に電界強度を示す番号（１、２、３）を付している。例えば、最も外側の円（「１」が付されている円）の内側の領域は、端末装置３０から送信された通信信号をアクセスポイント２０が受信可能な最低限の電界強度の領域であり、当該円の外側の領域では、端末装置３０から送信された通信信号をアクセスポイント２０は受信することはできない。
【０１４６】
従って、端末装置３０の送信部の送信電力値が最大電力値である場合には、領域１００内に存在する当該端末装置３０の位置に応じて、各アクセスポイント２０が端末装置３０の送信部から送信された通信信号を受信し得る端末装置３０及び当該通信信号を受信した際の電界強度が異なる。
【０１４７】
図２０に示す位置特定テーブル４２ａに示される各アクセスポイント２０（識別符号Ａ〜Ｆ）と複数のパターンとが対応する０〜３の数字は、任意の端末装置３０に対して各アクセスポイント２０が当該端末装置３０の送信部３３から送信された通信信号を受信した際の電界強度を示している。また、各パターンに対して端末装置が存在する分割領域が設定されている。
【０１４８】
例えば、ある端末装置３０が送信した通信信号を識別符号Ａのアクセスポイント２０のみが電解強度３で受信している場合、パターン１に該当し、当該端末装置３０は分割領域０１に存在していると特定される。
【０１４９】
ＡＰ電力値設定テーブル１２ｂ、端末電力値設定テーブル１２ｃ、ＡＰ別端末接続情報１２ｄは、実施の形態１のＡＰ電力値設定テーブル１２ｂ、端末電力値設定テーブル１２ｃ、ＡＰ別端末接続情報１２ｄと同様であるため、図示及び説明は省略する。
【０１５０】
本実施の形態２のアクセスポイント２０の構成は、図９に示す実施の形態１のアクセスポイント２０と略同様であるため、図示は省略し、異なる内容のみ説明する。
【０１５１】
受信部２４は、端末装置３０から送信される通信信号である無線信号を受信すると共に、受信した通信信号の電界強度を検知する手段であり、受信した無線信号や検知した電界強度を制御部２１に出力する。受信部２４は、常に駆動又は定期的に駆動されるものである。
【０１５２】
本実施の形態２の端末装置３０の構成は、図１０に示す実施の形態１の端末装置３０と略同様であるため、図示は省略し、異なる内容のみ説明する。
【０１５３】
受信部３４は、アクセスポイント２０から送信される通信信号である無線信号を受信し、受信した無線信号を制御部３１に出力する。受信部３４は、常に駆動又は定期的に駆動されるものである。
【０１５４】
次に、本実施の形態２の動作を説明する。
図２１に、本実施の形態２におけるアクセスポイント２０の送信部２３の駆動開始時の処理を示すラダーチャートを示す。なお、図２１に示すラダーチャートは、複数の端末装置３０のうち任意の端末装置３０と、複数のアクセスポイント２０のうち任意のアクセスポイント２０と、管理装置４０との間の処理である。
【０１５５】
まず、全てのアクセスポイント２０の送信部２３による通信信号の送信動作が停止している状態において、端末装置３０の送信部３３の送信電力値（以下、端末電力値）が最大電力値で駆動されて通信信号が送信されると、当該端末装置３０を中心とした電界強度分布が発生する（ステップＳ６１）。
【０１５６】
図２２に、ステップＳ６１における領域１００内のアクセスポイント２０と端末装置３０の状態イメージ図を示す。
図２２に示す三角形で示された端末装置３０は、当該三角形の内部に各端末装置３０の識別符号（イ、ロ、ハ）を示し、以下の図も同様とする。なお、図２２において、分割領域を示す番号（０１〜２４）は省略している。
【０１５７】
ステップＳ６１は、例えば、図２２に示すように、領域１００内の全てのＡ〜Ｆのアクセスポイント２０の送信部２３の駆動が停止している状態であって、領域１００内において識別符号がイ、ロ、ハの各端末装置３０が送信部３３の端末電力値を最大電力値として通信信号を送信しており、各端末装置３０を中心として図１９に示すような電界強度分布が発生した状態である。
【０１５８】
アクセスポイント２０は、複数の端末装置３０のうち、少なくともいずれか１つの端末装置３０の送信部３３が駆動されて通信信号が送信されることにより発生する電界を検知したか否かを判別し（ステップＳ６２）、電界を検知していないと判別した場合は（ステップＳ６２；Ｎｏ）、電界を検知するまで待機する。
【０１５９】
アクセスポイント２０は、端末装置３０により発生する電界を検知した場合（ステップＳ６２；Ｙｅｓ）、端末装置３０から送信される受信可能な通信信号を受信すると共に受信した通信信号の電界強度を検知する（ステップＳ６３）。
以下、アクセスポイント２０が各端末装置３０から送信される通信信号を受信した際の電界強度を、端末電界強度と略す。
【０１６０】
アクセスポイント２０は、検知した各端末装置３０の端末電界強度を管理装置４０に送信する（ステップＳ６４）。
【０１６１】
管理装置４０は、各アクセスポイント２０から送信される各アクセスポイント２０の端末電界強度に基づいて、領域１００内において存在する端末装置３０の総数を算出し（ステップＳ６５）、また、位置特定テーブル４２ａを参照して、各端末装置３０の位置情報として、各端末装置３０が存在する分割領域を特定する（ステップＳ６６）。
【０１６２】
ステップＳ６２において、例えば、図２２に示す識別符号がイの端末装置３０が送信した通信信号の電界強度に着目すると、識別符号がＡのアクセスポイント２０が受信した端末電界強度が３、識別符号がＢのアクセスポイント２０が受信した端末電界強度が２、識別符号がＤのアクセスポイント２０が受信した端末電界強度が１、である場合には、位置特定テーブル４２ａのパターンｍに該当するため、パターンｍに対する分割領域が０２であることから、当該端末装置３０が存在する分割領域は０２であると特定される。
【０１６３】
管理装置４０は、ＡＰ電力値設定テーブル１２ｂを参照して、算出した端末装置３０の総数と、端末装置３０毎の分割領域とに基づいて、該当するパターンを特定し、当該パターンに対応した各アクセスポイント２０の送信部２３の駆動状態、即ち、当該送信部２３による通信信号の送信動作の可否及びアクセスポイント２０の送信部２３の送信電力値（以下、ＡＰ電力値）を設定する（ステップＳ６７）。
【０１６４】
なお、ステップＳ６７において、端末装置３０の総数及び端末装置３０が存在する分割領域の組み合わせが同じパターンが複数存在している場合には、駆動されるアクセスポイント２０の数が最も少ないパターンを設定する。
【０１６５】
ステップＳ６７において、例えば、図２２に示すように、端末装置３０の総数が３であって、分割領域０２、０９、１５に１台ずつ端末装置３０が存在している場合には、図６に示すＡＰ電力値設定テーブル１２ｂのパターンｍ〜ｎに該当する。この複数の該当するパターンｍ〜ｎのうち、駆動されるアクセスポイント２０の数が最も少ないパターンが選定される。図６に示すＡＰ電力値設定テーブルでは、識別符号がＡ、Ｃ、Ｅの３台のアクセスポイント２０が駆動されるパターンｍが駆動されるアクセスポイント２０の数が最も少ないパターンであるとして選定される。選定されたパターンｍに応じて、識別符号がＡ、Ｃ、Ｅのアクセスポイント２０の送信部２３のＡＰ電力値を３（最大電力値）で通信信号の送信動作を行わせ、他のアクセスポイント２０の送信部２３は通信信号の送信動作停止、という駆動状態が設定される。
【０１６６】
管理装置４０は、各アクセスポイント２０に対して、設定した駆動状態に基づいて送信部を変更させる指示を送信する（ステップＳ６８）。
【０１６７】
アクセスポイント２０は、管理装置４０から駆動状態の変更指示を受信すると、駆動状態を変更する（ステップＳ６９）。駆動状態の変更とは、送信部２３による通信信号の送信動作が指示されている場合には、送信部２３の出力調整部２３ｂにより設定されたＡＰ電力値に変更し、送信部２３による通信信号の送信動作停止が指示されている場合には、本処理を終了する。
【０１６８】
送信部２３による通信信号の送信動作が指示され、送信部２３の出力調整部２３ｂにより設定されたＡＰ電力値に変更した場合、変更されたＡＰ電力値に応じて、アクセスポイント２０を中心とした電界強度分布が発生する。
【０１６９】
ステップＳ７０〜ステップＳ７６は、図１１に示したステップＳ１８〜ステップＳ２４と同様の処理であるため、説明は省略する。
【０１７０】
なお、ステップＳ７０は、ステップＳ１８と同様に、端末装置３０側からの要求により、当該端末装置３０と当該端末装置３０において通信信号の電界強度が最大となるアクセスポイント２０との間の通信接続が確立した状態を示しており、アクセスポイント２０側及び端末装置３０側夫々に同一ステップ番号を付している。
【０１７１】
図２１に示す処理終了後における領域１００内のアクセスポイント２０と端末装置３０の状態イメージ図は、図１４に示す実施の形態１と同様であるため、図示および説明は省略する。
【０１７２】
また、図２１に示す処理が終了すると、ＡＰ別端末接続情報１２ｄが生成される。
図２１に示す処理が終了した際に生成されるＡＰ別端末接続情報１２ｄの一例は、図１５に示す実施の形態１と同様であるため、図示及び説明は省略する。
【０１７３】
次に、図２３に、本実施の形態２において、いずれかのアクセスポイント２０の送信部２３が通信信号を送信している場合の処理を示すラダーチャートを示す。なお、図２３に示すラダーチャートは、複数の端末装置３０のうち任意の端末装置３０と、複数のアクセスポイント２０のうち任意のアクセスポイント２０と、管理装置４０との間の処理である。
【０１７４】
端末装置３０は、ユーザにより操作表示部２５から通信速度の上昇の要求を受け付けた場合、又は、予め設定された通信速度よりも通信速度が低下した場合、通信速度の上昇を要求する通信信号である速度上昇要求信号を送信する（ステップＳ８１）。
【０１７５】
アクセスポイント２０は、通信接続している端末装置３０から速度上昇要求信号を受信すると、速度上昇要求信号を送信してきた端末装置３０の識別符号と共に速度上昇要求信号を管理装置１０に送信する（ステップＳ８２）。
【０１７６】
管理装置４０は、速度上昇要求信号を受信すると、全てのアクセスポイント２０に対し、端末装置３０の位置を確認する指示を送信する（ステップＳ８３）。
【０１７７】
端末装置３０と通信接続しているアクセスポイント２０は、管理装置４０から端末装置３０の位置を確認する指示を受信すると、通信接続している端末装置３０に対して、各端末装置３０の位置を確認する指示を送信する（ステップＳ８４）。
【０１７８】
端末装置３０は、アクセスポイント２０から位置確認の指示を受信すると、端末電力値を最大電力値に変更して送信部３３を駆動して通信信号を送信し、端末装置３０を中心とした電界強度分布を発生させる（ステップＳ８５）。
【０１７９】
アクセスポイント２０は、端末装置３０から送信される通信信号を受信すると共に端末電界強度を検知し（ステップＳ８６）、検知した端末電界強度と、通信接続している端末装置３０の識別符号を管理装置４０に送信する（ステップＳ８７）。
【０１８０】
管理装置４０は、各アクセスポイント２０から送信されるアクセスポイント２０と通信接続がされている端末装置３０の識別符号と、各アクセスポイント２０の端末電界強度とに基づいて、領域１００内において通信を行う端末装置３０の総数を算出し（ステップＳ８８）、また、位置特定テーブル４２ａを参照して、各端末装置３０の位置情報として、各端末装置３０が存在する分割領域を特定する（ステップＳ８９）。
【０１８１】
ステップＳ９０〜ステップＳ９５は、図１６に示したステップＳ４０〜ステップＳ４５と同様の処理であるため、説明は省略する。
【０１８２】
管理装置４０は通信速度の上昇可と判別した場合（ステップＳ９１；Ｙｅｓ）、ＡＰ電力値設定テーブル１２ｂを参照して、算出した端末装置３０の総数と、端末装置３０毎の分割領域とに基づいて、該当するパターンを特定し、当該パターンに対応した各アクセスポイント２０の送信部２３の駆動状態として、通信信号の送信の可否及びＡＰ電力値を設定する（ステップＳ９６）。
【０１８３】
ステップＳ９６において、詳しくは、算出した端末装置３０の総数及び端末装置３０毎の分割領域に該当するパターンをＡＰ電力値設定テーブル１２ｂから選定する。また、ＡＰ電力値が最小電力値である場合において、速度上昇要求信号を送信した端末装置３０が存在する分割領域内に対して通信信号を送信可能なアクセスポイント２０を選定する。
【０１８４】
ＡＰ電力値が最小電力値である場合において速度上昇要求信号を送信した端末装置３０が存在する分割領域内に対して通信信号を送信可能なアクセスポイント２０の選定とは、当該端末装置３０に最も近い位置に設置されているアクセスポイントを選定することであり、当該端末装置３０の送信部３３から送信される通信信号を受信した際の電界強度が最も大きいアクセスポイントを選定することである。例えば、ステップＳ８６において、当該端末装置３０から送信される通信信号を各アクセスポイントが受信した際に検知した端末電界強度のうち、最も大きい電界強度を検知したアクセスポイント２０を選定することである。
【０１８５】
そして、ＡＰ電力値設定テーブル１２ｂから選定された複数のパターンのうち、選定されたアクセスポイント２０のＡＰ電力値が最小電力値で駆動されるパターンを設定する。
【０１８６】
なお、算出した端末装置３０の総数及び端末装置３０毎の分割領域に該当するパターンであって、選定されたアクセスポイント２０のＡＰ電力値が最小電力値であるパターンが複数存在している場合には、駆動されるアクセスポイント２０の数が最も少ないパターンを設定する。
【０１８７】
例えば、ステップＳ９６において、図１４に示すように、端末装置３０の総数が３、分割領域０２、０９、１５に１台ずつ端末装置３０が存在している場合であって、速度上昇要求信号を送信した端末装置３０が識別符号がイの端末装置３０である場合、ＡＰ電力値設定テーブル１２ｂから端末装置３０の総数が３、分割領域０２、０９、１５に１台ずつ端末装置３０が存在しているパターンとしてパターンｍ〜ｎが選定される。
【０１８８】
また、識別符号がイの端末装置３０から送信された通信信号を各アクセスポイント２０が受信した際の端末電界強度として、識別符号がＡのアクセスポイント２０は端末電界強度が３、識別符号がＢのアクセスポイント２０は端末電界強度が２、識別符号がＤのアクセスポイント２０は端末電界強度が１、を検知した場合、最も大きい電界強度を検知したアクセスポイント２０として識別符号がＡのアクセスポイント２０が選定される。
【０１８９】
そして、図６に示すＡＰ電力値設定テーブル１２ｂから選定されたパターンｍ〜ｎのうち、識別符号がＡのアクセスポイント２０が最小電力値で駆動されているパターンとして、パターンｎが設定される。
【０１９０】
設定されたパターンｎに応じて、識別符号がＡ、Ｂ、Ｄ、Ｅのアクセスポイント２０の送信部２３のＡＰ電力値を１（最小電力値）で通信信号の送信動作を行わせ、識別符号がＣのアクセスポイント２０の送信部２３のＡＰ電力値を３（最大電力値）で通信信号の送信動作を行わせ、識別符号がＦのアクセスポイント２０の送信部２３は通信信号の送信動作停止、という駆動状態が設定される。
【０１９１】
このように、速度上昇要求信号を送信した端末装置３０に最も近い位置に配置されたアクセスポイント２０のＡＰ電力値を最小電力値に設定することにより、当該アクセスポイント２０による通信信号の送信可能な範囲が縮小され、当該通信信号の送信可能な範囲外となる他の端末装置３０と当該アクセスポイント２０との通信接続が切断されることとなり、速度上昇要求信号を送信した端末装置３０が通信接続を行う当該端末装置３０に最も近い位置に配置されたアクセスポイント２０に通信接続される端末装置３０の台数を削減でき、アクセスポイント２０との通信接続に関する動作の占有率を高めることができることから、当該端末装置３０の通信速度の向上を図ることができる。
【０１９２】
管理装置４０は、全てのアクセスポイント２０に対して、設定した駆動状態に基づいて送信部２３を変更させる指示を送信する（ステップＳ９７）。
【０１９３】
ステップＳ９８〜ステップＳ５７は、図１１に示したステップＳ１５〜ステップＳ２４と同様の処理であるため、説明は省略する。
【０１９４】
なお、ステップＳ９９は、ステップＳ１６と同様に、アクセスポイント２０側から通信接続されている端末装置３０との通信接続を切断する場合、又は、端末装置３０側から通信接続されているアクセスポイント２０との通信接続を切断する場合、のいずれか一方の動作の速い方により実行されるため、アクセスポイント２０側及び端末装置３０側夫々に同一ステップ番号を付している。
【０１９５】
また、ステップＳ１０１は、ステップＳ１８と同様に、端末装置３０側からの要求により、当該端末装置３０と当該端末装置３０において通信信号の電界強度が最大となるアクセスポイント２０との間の通信接続が確立した状態を示しており、アクセスポイント２０側及び端末装置３０側夫々に同一ステップ番号を付している。
【０１９６】
また、図２３に示す処理終了後における領域１００内のアクセスポイント２０と端末装置３０の状態イメージ図は、図１７に示す実施の形態１と同様であるため、図示及び説明は省略する。
【０１９７】
以上のように、本実施の形態２によれば、複数のアクセスポイント２０のうち通信速度要求信号を送信した端末装置３０に最も近い位置に設置されたアクセスポイント２０に対する通信速度要求信号を送信した端末装置３０の無線通信接続状態の占有率を高めるように複数のアクセスポイント２０の送信部２３の送信制御を行うことができるため、端末装置３０の要求に応じて通信速度の高速化を図ることができる。
【０１９８】
また、端末装置３０の位置情報（端末装置３０が存在する分割領域）を、各アクセスポイント２０が端末装置３０から送信された通信信号の電界強度に基づいて特定することができるため、ＧＰＳ（Global Positioning System）等の特別な装置や回路を設けずとも、予め定められた領域内での端末装置の位置を特定することができる。
【０１９９】
更に、端末装置３０の送信部３３の送信電力値を、アクセスポイント２０との通信接続に最低限必要とされる送信電力値に調整することができるため、端末装置３０が消費する消費電力の低減を図ることができ、無線ＬＡＮシステム１全体の省電力化を図ることができる。
【図面の簡単な説明】
【０２００】
【図１】本実施の形態１における無線ＬＡＮシステム１の概略構成図である。
【図２】本実施の形態１における無線ＬＡＮシステム１が適用される領域１００と当該領域１００内でのアクセスポイント２０の配置例である。
【図３】本実施の形態１における管理装置１０の制御ブロック図である。
【図４】アクセスポイント２０から通信信号を送信する際の送信部の送信電力値が最大電力値である場合に生じる電界強度分布の一例である。
【図５】位置特定テーブル１２ａの一例である。
【図６】ＡＰ電力値設定テーブル１２ｂの一例である。
【図７】図７（ａ）は、最小駆動状態である場合のアクセスポイント２０の送信部により通信信号を送信可能な範囲及び端末装置３０の配置例であり、図７（ｂ）は、最大駆動状態である場合のアクセスポイント２０の送信部により通信信号を送信可能な範囲及び端末装置３０の配置例である。
【図８】端末電力値設定テーブル１２ｃの一例である。
【図９】アクセスポイント２０の制御ブロック図である。
【図１０】端末装置３０の制御ブロック図である。
【図１１】本実施の形態１におけるアクセスポイント２０の送信部２３の駆動開始時の処理を示すラダーチャートである。
【図１２】ステップＳ１における領域１００内のアクセスポイント２０と端末装置３０の状態イメージ図である。
【図１３】ステップＳ５における領域１００内のアクセスポイント２０と端末装置３０の状態イメージ図である。
【図１４】図１１に示す処理終了後における領域１００内のアクセスポイント２０と端末装置３０の状態イメージ図である。
【図１５】図１４に対応するＡＰ別端末接続情報１２ｄである。
【図１６】本実施の形態１において、いずれかのアクセスポイント２０の送信部２３が通信信号を送信している場合の処理を示すラダーチャートである。
【図１７】図１６に示す処理終了後における領域１００内のアクセスポイント２０と端末装置３０の状態イメージ図である。
【図１８】本実施の形態２における管理装置４０の制御ブロック図である。
【図１９】端末装置３０から通信信号を送信する際の送信部の送信電力値が最大電力値である場合に生じる電界強度分布の一例である。
【図２０】位置特定テーブル４２ａの一例である。
【図２１】実施の形態２におけるアクセスポイント２０の送信部２３の駆動開始時の処理を示すラダーチャートである。
【図２２】ステップＳ６１における領域１００内のアクセスポイント２０と端末装置３０の状態イメージ図である。
【図２３】実施の形態２において、いずれかのアクセスポイント２０の送信部２３が通信信号を送信している場合の処理を示すラダーチャートである。
【符号の説明】
【０２０１】
１  無線ＬＡＮシステム
１０  管理装置
１１  制御部
１２  記憶部
１２ａ  位置特定テーブル
１２ｂ  ＡＰ電力値設定テーブル
１２ｃ  端末電力値設定テーブル
１２ｄ  ＡＰ別端末接続情報
１３  ネットワークＩ／Ｆ
２０  アクセスポイント
２１  制御部
２２  記憶部
２２ａ  ＡＰ電力値テーブル
２３  送信部
２３ａ  無線部
２３ｂ  出力調整部
２３ｃ  アンテナ部
２４  受信部
２５  ネットワークＩ／Ｆ
３０  端末装置
３１  制御部
３２  記憶部
３２ａ  端末電力値テーブル
３３  送信部
３３ａ  無線部
３３ｂ  出力調整部
３３ｃ  アンテナ部
３４  受信部
３５  操作表示部
４０  管理装置
４１  制御部
４２  記憶部
４２ａ  位置特定テーブル
１００  領域
【図１】
2008079109.tif 000003
【図２】
2008079109.tif 000004
【図３】
2008079109.tif 000005
【図４】
2008079109.tif 000006
【図５】
2008079109.tif 000007
【図６】
2008079109.tif 000008
【図７】
2008079109.tif 000009
【図８】
2008079109.tif 000010
【図９】
2008079109.tif 000011
【図１０】
2008079109.tif 000012
【図１１】
2008079109.tif 000013
【図１２】
2008079109.tif 000014
【図１３】
2008079109.tif 000015
【図１４】
2008079109.tif 000016
【図１５】
2008079109.tif 000017
【図１６】
2008079109.tif 000018
【図１７】
2008079109.tif 000019
【図１８】
2008079109.tif 000020
【図１９】
2008079109.tif 000021
【図２０】
2008079109.tif 000022
【図２１】
2008079109.tif 000023
【図２２】
2008079109.tif 000024
【図２３】
2008079109.tif 000025